(57)【特許請求の範囲】
【請求項１】
底面を有する鞄本体と、
前記鞄本体の底面に結合された複数のキャスターと、
収容空間を画定し、前記鞄本体の底面近傍に開口部を有する布地収容部と、
前記布地収容部に収容され、少なくとも前記複数のキャスターの接地面を覆える形状を有する布地と、前記布地に結合され、前記開口部で止まる、前記布地を引き出すための引き出し具とを有する被覆部材と、
前記鞄本体に設けられ、前記布地を引き出した状態で前記引き出し具と係合できる係止具と、
を有するキャスター付き鞄。
【請求項２】
前記布地収容部は、前記布地を巻き込んだ状態で、または引き込んだ状態で収容する請求項１に記載のキャスター付き鞄。
【請求項３】
前記引き出し具は、前記布地の一端に結合され、孔を有する固形部材であり、前記係止具は、前記孔と係合するフックを有する、請求項１または２に記載のキャスター付き鞄。
【請求項４】
前記鞄本体の底面に結合された脚部をさらに有し、
前記布地は前記複数のキャスターの接地面と前記脚部の接地面を覆える形状を有し、前記係止具は前記布地が前記複数のキャスターの接地面と前記脚部の接地面を覆った状態で、前記引き出し具と係合できる、請求項１〜３のいずれか１項に記載のキャスター付き鞄。
【請求項５】
前記キャスターが前記鞄の引張方向に交差する方向に並んだ２つであり、前記脚部が前記キャスターと前記鞄の引張方向に並んで、組を構成する２つであり、前記布地、前記引き出し具、前記係止具が、前記組に対応してそれぞれ２つである請求項４に記載のキャスター付き鞄。
【請求項６】
前記布地収容部が前記鞄本体から取り外し可能である請求項１〜５のいずれか１項に記載のキャスター付き鞄。
【発明の詳細な説明】
【技術分野】
【０００１】
本発明は、キャリーバッグないしトローリーバッグと呼ばれることの多い、キャスター付き鞄に関する。
【背景技術】
【０００２】
キャスター付き鞄は、底面に２つないし４つのキャスター（車輪）が付いた鞄であり、キャスターが回転することにより、重いものでも容易に運搬することができる。戸外で用いる時は、当然キャスターは路面、地面等に接する。従って、キャスターの接地面には、土やゴミ等が付着する。２つのキャスターと固定支持用脚部（通常２つであるが、１つまたは３つ以上の場合もある）を有するキャスター付き鞄の場合は、固定支持用脚部も路面、地面等に接する接地面を有し、接地面には土やゴミ等が付着する。
【０００３】
キャスター付き鞄を、キャスター付き鞄として使用しない時、例えば不使用時に折り畳む時やショルダーバッグとして用いる時に、キャスターを引っ込めて収容し、不快感や汚れを防止する提案がされている（例えば、特許文献１，２）。
【０００４】
人が戸外から日本家屋に入る場合、通常、靴などの履物は脱いで室内に入る。履物を脱がずに室内に入ることは礼儀に反する。しかし、入室者がキャスター付き鞄を携帯している場合、必要に応じて、入室者はキャスター付き鞄を室内に持ち込む。キャスター付き鞄に重量物を収容している場合等、室内でもキャスタを転がすことになる。キャスターに付着している土や汚れは、床面に接することになる。脚部を有する、キャスター付き鞄の場合、鞄を静止、正立させた時には、脚部も床面に接する。
【０００５】
外来者が土やゴミ等が付着したキャスターを室内で転がすことは、室内を清潔にしている者にとって、礼儀に反する、不潔な行為となる。しかしながら、例えば医療用機械等を携帯する医者にとっては、診察する者がいる場所までキャスター付き鞄を運搬する必要があり、持ち上げて運搬するには重すぎる場合もある。
【先行技術文献】
【特許文献】
【０００６】
【特許文献１】特開２００２−５１８１８号公報、
【特許文献２】登録実用新案公報３１０１７６４号
【発明の概要】
【発明が解決しようとする課題】
【０００７】
キャスター付き鞄を室内に持ち込む場合、接地面が床面を汚さないようにすることが望まれる。
【課題を解決するための手段】
【０００８】
実施例によれば、
底面を有する鞄本体と、
前記鞄本体の底面に結合された複数のキャスターと、
収容空間を画定し、前記鞄本体の底面近傍に開口部を有する布地収容部と、
前記布地収容部に収容され、少なくとも前記複数のキャスターの接地面を覆える形状を有する布地と、前記布地に結合され、前記開口部で止まる、前記布地を引き出すための引き出し具とを有する被覆部材と、
前記鞄本体に設けられ、前記布地を引き出した状態で前記引き出し具と係合できる係止具と、
を有するキャスター付き鞄
が提供される。
【図面の簡単な説明】
【０００９】
【図１】図１Ａ，１Ｂはハンドル２０を伸ばした状態のキャスター付鞄１００の正面図、側面図であり、図１Ｃは、ハンドル２０を伸ばした状態でキャスター付鞄１００を傾斜させ、キャスター３０を転がらせて、運搬する状態のキャスター付鞄１００の側面図、図１Ｄは、静止状態で正立させ、ハンドル２０を鞄本体１０に引っ込めた状態のキャスタ付鞄１００の側面図である。
【図２】図２Ａはハンドル２０を鞄本体１０に引っ込め、鞄本体１０を台４上に横置きにし、被覆部材５０の引き出し具５４を介して布地５２を引き出した状態のキャスタ付鞄１００の側面図、図２Ｂは布地５２によってキャスタ３０、脚部４０の接地面を覆い、引き出し具５４を係止具６０に係合させた状態のキャスタ付鞄１００の側面図、図２Ｃは布地５２がキャスター３０、脚部４０を覆った状態で、室内の床面６上を滑らせて運搬する状態のキャスター付鞄１００の側面図である。
【図３】図３Ａ、３Ｂはハンドル２０を鞄本体１０に引っ込め、鞄本体１０を台４上に横置きにした状態のキャスタ付鞄１００を、上方から見た裏面図および側方から見た底面図、図３Ｃは布地収容部内でロール状に巻き取られた布地５２と引き出し具５４を示す斜視図である。
【図４】図４Ａは、キャスター付き鞄１００の底面構造の変形例を示す底面図、図４Ｂは引き出し具の変形例を示す平面図、図４Ｃは引き出し具と係止具の変形例を示すダイアグラム、図４Ｄはキャスター付き鞄１００における被覆部材５０と係止具６０の配置の変形例を示す側面図、図４Ｅは４つのキャスターを有するキャスター付き鞄１００の変形例を示す側面図、図４Ｆは布地収容部に収容された布地の収容形態の変形例を示す平面図である。
【図５】図５Ａ，５Ｂは、複数のキャスターに応じて、被覆部材、係止具が分割構造を有する変形例を示す底面図、図５Ｃ，５Ｄは、布地収容部が鞄本体から取り外し可能な構造である変形例を示す底面図である。
【符号の説明】
【００１０】
２      路面ないし地面、
４      台、
１０      鞄本体、
２０      ハンドル、
３０      キャスター、
４０      脚部、
５０      被覆部材、
５２      布地、
５４      引き出し具、
６０      係止具、
７０      布地収容部、
７０ｒ    （取り外し可能）布地収容部、
７２      孔、
７４      回転軸、
７６      弾性部材、
【発明を実施するための形態】
【００１１】
図１Ａ，１Ｂ，１Ｃ，１Ｄは、キャスター付鞄１００を示す正面図および側面図である。図１Ａの正面図、図１Ｂの側面図に示すように、ハンドル２０を伸ばした状態のキャスター付鞄１００を放置すると、キャスター付鞄１００は２つのキャスター３０と、２つの脚部４０に支持されて、正立する。２つのキャスター３０と２つの脚部４０は、例えば矩形の４頂点を規定する。この状態は、キャスター付鞄として周知のものである。後述するように、４つのキャスターを有し、脚部のない構造等もある。
図１Ｃは、ハンドル２０を使用者側に引くことにより、キャスター付鞄１００を傾け、脚部４０を路面乃至地面２から引き上げ、キャスター３０を回転させつつ、キャスター付鞄１００を運搬する状態を示す。運搬時には傾けて、２つのキャスターが路面乃至地面２上を転がるキャスター付鞄が、本実施例の主たる対象である。
図１Ｄは、運搬動作を停止し、正立させたキャスター付鞄１００の側面図である。脚部４０が路面乃至地面２に接地して、支持構造を構成する。２つのキャスター３０と２つの脚部４０が鞄本体１０を支持する。なお、ハンドル２０を引き込めた状態を示すが、引き出した状態としてもよい。脚部４０も接地するので、土やゴミが付着しうる。
以上説明した構成、機能は、キャスター付鞄として周知のものである。キャスター付き鞄１００の鞄本体１０がハードケースであるような形状を示したが、鞄本体１０は、ハードケースでもソフトケースでもよい。公知の他の構成と置換したり、他の構成を追加することも可能である。以上においては説明しなかったが、鞄本体１０に布地収容部７０が配置され、布地を収容する。脚部４０から突出する突起が係止具６０を構成する。
【００１２】
図２Ａに示すように、家屋に入る際には、台４等の上にキャスター付き鞄１００を、例えばキャスター３０が上側に来るように横置きにする。布地収容部７０から、被覆部５０の引き出し具５４を介して布地５２を引き出す。
【００１３】
図３Ａに上から見たキャスター付き鞄１００の平面図を示す。キャスター３０が上側に配置され、鞄本体１０に配置された、布地収容部７０の開口７２に引き出し具５４が係合している。引き出し具５４は、中央部に引き出すときに利用できる段差を有し、脚部に設けた係止具６０と係合できる孔５６を有する。
【００１４】
被覆部５０の図示を省略した図３Ｂの底面図に示すように、布地収容部７０の開口７２は底面の１辺に沿い、２つのキャスター３０間の幅より広い幅を有する。
【００１５】
図３Ｃに示すように、例えば回転軸７４の周りに巻かれた布地５２が布地収容部７０に収容され、布地５２の端部に結合された引き出し具５４は開口７２上に止められる。開口７２から引き出した布地５２は、２つのキャスター３０を覆うことができる形状を有する。
【００１６】
図２Ｂに示すように、引き出した布地５２によって、キャスター３０、脚部４０（これらの接地面側）を覆い、引き出し具５４に形成されている孔５６を脚部から突出する係止具６０に係合する。引き出し具５４を介して布地５２を係止できる。キャスター３０、脚部４０の接地面は、布地５２で覆われる。
【００１７】
図２Ｃに示すように、キャスター３０、脚部４０が布地５２で覆われたキャスター付き鞄１００を立て、ハンドル２０を伸ばし、全体を傾け、床面６上で布地５２を滑らせながら、キャスター付き鞄１００を運搬する。キャスター３０、脚部４０は布地５２で覆われているため、床面６は土や汚れから保護される。滑り易い布地５２を使用することにより、また屋内での運搬距離はさほど長くないため、キャスター３０が回転しなくても、運搬に過度の負担は掛らない。
【００１８】
以上、１実施例に沿って、キャスター付き鞄を説明したが、種々の変形、等が可能である。
【００１９】
図４Ａ，４Ｂは係止具６０と引き出し具５４の変形例を示す。引き出し具５４は中央に１つの孔５６を有する突起部を備え、鞄本体１０の底面の２つの脚部４０の幅方向のほぼ中央に１つの係止具６０が形成されている。なお、引き出し具と係止具の係合は突起状部分と孔とに限らない。
【００２０】
図４Ｃに示すように、係合可能な２つのフック状部分５８，６１のような係合であってもよい。
【００２１】
図４Ｄは、鞄本体１０の底面における被覆部５０の収容部と係止具６０の相対的関係を逆にした例を示す。
【００２２】
図４Ｅは、４つのキャスター３０を有するキャスター付き鞄の例を示す。いずれの構成においても、布地収容部から引き出した布地５２によって、キャスター３０、脚部４０の接地面（特にキャスタ３０の接地面）を覆えればよい。
【００２３】
図４Ｆは、回転軸に代え、布地５２が弾性部材７６により布地収容部内に引き込まれる構成を示す。
【００２４】
図５Ａは、鞄本体１０の底面に２つの開口７２ａ、７２ｂが形成され、それぞれの開口に布地５２ａと引き出し具５４ａの被覆部５０ａ、布地５２ｂと引き出し具５４ｂの被覆部５０ｂが組み合わされた構成を示す。開口、布地、引き出し具、（および係止具）の分割構造といえる。
【００２５】
図５Ｂは、鞄本体１０の底面は１つの開口７２を有するが、２つの被覆部が組み合わされた構成を示す。布地、引き出し具、（および係止具）の分割構造といえる。
【００２６】
図５Ｃは、被覆部５０を備えた布地収容部７０が、線状ファスナ（ジッパー）、面上ファスナ（マジックテープ（登録商標））、クリップ等により、鞄本体１０から取り外し可能な構成を示す。例えば、滑り易さ、色、模様等の異なる複数種類の布地を交換可能な構成を実現できる。布地が破損した時の交換も容易になる。
【００２７】
図５Ｄは、鞄本体１０に結合する２つの布地収容部が鞄本体から取り外し可能な構成を示す。図５Ｃの構成と同様の効果が得られる。
【００２８】
以上実施例に沿って本発明を説明したが、記載された材料、形状などは限定的なものでは無い。添付する請求項の範囲内で種々の変更、置換、改良、組み合わせ等が可能なことは当業者に自明であろう。
【要約】
【課題】  
キャスター付き鞄を室内に持ち込む場合、接地面が床面を汚さないようにする。
【解決手段】  
キャスター付き鞄は、底面を有する鞄本体と、鞄本体の底面に結合された複数のキャスターと、収容空間を画定し、鞄本体の底面近傍に開口部を有する布地収容部と、布地収容部に収容され、少なくとも複数のキャスターの接地面を覆える形状を有する布地と、布地に結合され、開口部で止まる、布地を引き出すための引き出し具とを有する被覆部材と、鞄本体に設けられ、布地を引き出した状態で引き出し具と係合できる係止具と、を有する。
【選択図】  図２【図１】
0005499190.tif 000002
【図２】
0005499190.tif 000003
【図３】
0005499190.tif 000004
【図４】
0005499190.tif 000005
【図５】
0005499190.tif 000006